(57)【特許請求の範囲】
【請求項１】
帯状の写真フイルムの少なくとも両端に遮光紙を設けた遮光紙付き写真フイルムがスプールに巻き付けられ、写真フイルムと遮光紙とを接合する接合テープ、遮光紙またはスプールの少なくとも１つに写真フイルムの背後の遮光紙の有無に応じたフイルムタイプの情報を含むバーコードが記された写真用ロールフイルムが用いられ、フイルム巻き取り室に設けた巻取り室側駆動軸で、フイルム巻き取り室に装填された空きのスプールを回転することにより、この空きスプールに遮光紙の先端が係合された遮光紙付き写真フイルムを巻き付けてフイルム装填室からフイルム巻き取り室に給送するようにしたカメラにおいて、
遮光紙付き写真フイルムをフイルム巻き取り室に給送して１コマ目をセットする間に前記バーコードを読み取り、フイルムタイプを識別する読み取り手段と、アパーチャに対向した位置で遮光紙付き写真フイルムを背後から保持するとともに、写真用ロールフイルムの装填する際に前記フイルムタイプに応じて光軸方向の位置が切り換え可能な圧板と、この圧板の切り換え位置を検出する圧板位置検出手段と、圧板位置検出手段で検出された圧板の位置が前記読み取り手段で識別されたフイルムタイプに適合しているか否かを判別する判別手段と、この判別手段により圧板の位置がフイルムタイプに適合していないことが判別されたときに警告を行う警告手段と、前記判別手段により圧板の位置がフイルムタイプに適合していないことが判別されたときに、前記巻取り室側駆動軸を回動自在にするとともに、前記フイルム装填室に設けた装填室側駆動軸によって前記装填室に装填されている写真用ロールフイルムのスプールを回転することによって、１コマ目がセットされた状態の前記遮光紙付き写真フイルムをフイルム装填室内のスプールに巻き戻す巻き戻し手段とを備えたことを特徴とするカメラ。
【請求項２】
前記巻き戻し手段は、モータの駆動力で前記フイルム装填室内のスプールを回転させて、遮光紙付きフイルムの巻き戻しを行うことを特徴とする請求項１記載のカメラ。
【請求項３】
前記判別手段は、写真用ロールフイルムのフイルムタイプと圧板の位置に対応するフイルムタイプとが一致していないと判別した場合に、前記巻き戻し手段のモータを駆動させて、自動的に遮光紙付きフイルムの巻き戻しを行うことを特徴とする請求項３記載のカメラ。
【請求項４】
前記遮光紙付きフイルムの巻き戻しを外部から指示するための操作部材を備え、前記判別手段は、前記操作部材の操作に応答して、前記巻き戻し手段のモータの駆動を開始させて、遮光紙付きフイルムの巻き戻しを行うこと特徴とする請求項２記載のカメラ。
【請求項５】
前記巻き戻し手段による遮光紙付き写真フイルムの巻き戻し完了を検出する検出手段と、前記検出手段によって巻き戻しの完了が検出された際に、この巻き戻しの完了の直前に前記判別手段が写真用ロールフイルムのフイルムタイプと圧板の位置に対応するフイルムタイプとが一致していないと判別していた場合に、圧板の位置の切り換えを促す手段とを備えていることを特徴とする請求項１ないし4のいずれか１項に記載のカメラ。
【発明の詳細な説明】
【０００１】
【発明の属する技術分野】
本発明は、写真用ロールフイルムを用いるカメラに関するものである。
【０００２】
【従来の技術】
約６ｃｍ幅の帯状の写真フイルムに遮光紙を取り付けた遮光紙付き写真フイルムをスプールに巻き付けた写真用ロールフイルムが知られている。この写真用ロールフイルムは、１２０タイプと２２０タイプの２種類のフイルムタイプがあり、１２０タイプの写真用ロールフイルムは、写真フイルムより長い遮光紙で写真フイルムのベース面全体を覆い、写真フイルムが遮光紙ごとスプールに巻き付けられている。また、２２０タイプの写真用ロールフイルムは、リーダーペーパー，トレーラーと称される遮光紙を写真フイルムの先端部と後端部に接合し、写真フイルムのベース面を覆う遮光紙を省略することにより、１２０タイプの約２倍の長さの写真フイルムがスプールに巻き付けられている。
【０００３】
また、写真用ロールフイルムを用いる中判カメラでは、写真フイルムのベース面側の遮光紙の有無によって、撮影レンズの所定の結像面に対するフイルム面の位置が変わってしまうのを防止するために、写真フイルムの平面性を保持する圧板は、フイルムタイプに応じた位置に切り換え可能とされており、写真用ロールフイルムを装填する際に、この圧板の位置の切り換えを行う。
【０００４】
【発明が解決しようとする課題】
ところで、中判カメラでは、カメラの外部に圧板の位置を「１２０」，「２２０」の文字で表示するものがあるが、装填した写真用ロールフイルムのフイルムタイプが外部に表示されないから、写真用ロールフイルムの装填後に、そのフイルムタイプと圧板の位置とが対応しているか否かを知ることはできないといった問題があった。
【０００５】
一方、写真用ロールフイルムには、１３５タイプのパトローネの外壁に設けられているＤＸコードのように、フイルム感度，撮影可能コマ数等の情報をカメラ側に伝達する手段が設けられていないので、フイルム感度のセッティング等を手動で行わなければならず取扱が面倒であった。そこで、本出願人は、特願平７−２３５１２７号により遮光紙と写真フイルムとを接合する接合テープに、フイルム感度，写真用ロールフイルムのフイルムタイプ等の情報を表したバーコードを設け、写真フイルムの情報をカメラ側に伝達可能にした写真用ロールフイルムを提案している。
【０００６】
しかし、この写真用ロールフイルムを用いて、カメラにフイルムタイプと圧板の位置の両方を表示するようにしたとしても、これらの表示の一致を撮影者が意識して確認しなければ、圧板が誤った位置のままで撮影が行われてしまう可能性がある。
【０００７】
また、写真用ロールフイルムを用いるカメラでは、巻き取りスプール方向にだけ遮光紙付き写真フイルムを送る構造となっている。このため、装填した写真用ロールフイルムと圧板の位置とが対応していないことに気づいたとしても、遮光紙付き写真フイルムの給送を行った後では、カメラの内部では遮光紙による写真フイルムの遮光が解かれた状態になっているから、暗室やダークバッグ内等の暗黒下で、カメラの装填蓋、例えば裏蓋を開放し圧板の位置を切り換えなくてはならず面倒であった。
【０００８】
本発明は、上記事情を鑑み、遮光紙付き写真フイルムの給送後にも、容易に圧板位置が切り換えられるカメラを提供することを目的とする。また、本発明は、装填された写真用ロールフイルムのフイルムタイプと圧板の位置とが対応しない状態で撮影が行われることを防止するカメラを提供することを目的とする。
【０００９】
【課題を解決するための手段】
上記目的を達成するために、請求項１記載のカメラでは、遮光紙付き写真フイルムをフイルム巻き取り室に給送して１コマ目をセットする間に前記バーコードを読み取り、フイルムタイプを識別する読み取り手段と、アパーチャに対向した位置で遮光紙付き写真フイルムを背後から保持するとともに、写真用ロールフイルムの装填する際に前記フイルムタイプに応じて光軸方向の位置が切り換え可能な圧板と、この圧板の切り換え位置を検出する圧板位置検出手段と、圧板位置検出手段で検出された圧板の位置が前記読み取り手段で識別されたフイルムタイプに適合しているか否かを判別する判別手段と、この判別手段により圧板の位置がフイルムタイプに適合していないことが判別されたときに警告を行う警告手段と、前記判別手段により圧板の位置がフイルムタイプに適合していないことが判別されたときに、前記巻取り室側駆動軸を回動自在にするとともに、前記フイルム装填室に設けた装填室側駆動軸によって前記装填室に装填されている写真用ロールフイルムのスプールを回転することによって、１コマ目がセットされた状態の前記遮光紙付き写真フイルムをフイルム装填室内のスプールに巻き戻す巻き戻し手段とを備えたものである。
【００１１】
請求項２記載のカメラでは、巻き戻し手段を、モータの駆動力でフイルム装填室内のスプールを回転させて、遮光紙付きフイルムの巻き戻しを行うようにしたものである。
【００１２】
請求項３記載のカメラでは、判別手段は、写真用ロールフイルムのフイルムタイプと圧板の位置に対応するフイルムタイプとが一致していないと判別した場合に、前記巻き戻し手段のモータを駆動させて、自動的に遮光紙付きフイルムの巻き戻しを行うようにしたものであり、請求項４記載のカメラでは、遮光紙付きフイルムの巻き戻しを外部から指示するための操作部材を備え、前記判別手段は、前記操作部材の操作に応答して、前記巻き戻し手段のモータを駆動させて、遮光紙付きフイルムの巻き戻しを行うようにしたものである。
【００１３】
請求項５記載のカメラでは、巻き戻し手段による遮光紙付き写真フイルムの巻き戻し完了を検出する検出手段と、前記検出手段によって巻き戻しの完了が検出された際に、この巻き戻しの完了の直前に判別手段が写真用ロールフイルムのフイルムタイプと圧板の位置に対応するフイルムタイプとが一致していないと判別していた場合に、圧板の位置の切り換えを促す手段とを備えたものである。
【００１４】
【発明の実施の形態】
本発明のカメラに用いる写真用ロールフイルムの外観を示す図２において、１２０タイプ及び２２０タイプの写真用ロールフイルム１は、従来の１２０タイプ及び２２０タイプの写真用ロールフイルムと同様な形態をしており、スプール２の軸部２ａに、写真フイルム３（図３参照）と遮光紙４とからなる遮光紙付き写真フイルム５をロール状に巻き付け、遮光紙４の先端部４ａをわずかに折って、粘着テープ６で止めてある。また、軸部２ａの両端には、フランジ２ｂが形成されており、これらの各フランジ２ｂの中央には、軸装着穴２ｃが形成されている。
【００１５】
図３は、１２０タイプの遮光紙付き写真フイルム５を真っ直ぐに伸ばした状態を示すものである。１２０タイプの写真用ロールフイルム１は、写真フイルム３が、例えば撮影コマの画面サイズを４１．５×５６ｍｍのセミ判とした場合に、撮影可能コマ数が１５コマ（または１６コマ）となる標準的な長さのもの（以下、１２０標準タイプという）と，８コマ（または７コマ）となる長さのもの（以下、１２０ハーフタイプという）との２種類のものがある。なお、１２０標準タイプと１２０ハーフタイプとを区別する必要がない場合には、これらを１２０タイプと総称する。
【００１６】
遮光紙４は、写真フイルム３よりも長尺なものが用いられ、その先端部４ａには巻き取りスプールの爪に掛けるための孔４ｂが形成されている。写真フイルム３は、そのベース面を遮光紙４の黒色をした裏面とを合わせるように重ねられ、写真フイルム３の先端部の接合テープ７によって遮光紙４と接合されている。
【００１７】
図４は、２２０タイプの遮光紙付き写真フイルム５を示すものである。この２２０タイプでは、遮光紙４は、写真フイルム３の先端部に接合テープ７で接合されたリーダペーパ８ａと、写真フイルム３の後端部に接合テープ９で接合されたトレーラ８ａとからなる。リーダペーパ８ａの先端部４ａには、１２０タイプと同様に孔４ｂが形成されている。２２０タイプの写真フイルム３は、１２０標準タイプに対して２倍の長さになっており、例えば撮影コマの画面サイズをセミ判とした場合に、撮影可能コマ数が３０コマとなる。
【００１８】
図３及び図４に示されるように、接合テープ７には、バーコード１０が記録されている。図５に一例を示すように、バーコード１０は、接合テープ７の白地の表面に黒色インクで写真フイルム３の幅方向に長いラインを印刷することにより形成されており、遮光紙４の先端部４ａ側から写真フイルム３の方向に、白い高反射面の先端クワイエットゾーン１１と、黒い低反射面の黒バーと白い高反射面の白バーの二種類の面で構成されるデータ部１２と、白い高反射面の後端クワイエットゾーン１３とが順番に配されている。
【００１９】
先端クワイエットゾーン１１と後端クワイエットゾーン１３は、データ部１２の開始端と終了端を表している。データ部１２は、幅の広い黒バー１４ａ，幅の狭い黒バー１４ｂ，幅の広い白バー１５ａ，幅の狭い白バー１５ｂを所定に規則に従って交互に並べたものであり、その配列によって１２０標準タイプ，１２０ハーフタイプ，２２０タイプといったフイルムタイプと、写真フイルム３のフイルム感度と、白黒フイルム，ネガフイルム，リバーサルフイルムといった写真フイルム３の種類との情報を表現している。
【００２０】
本発明を実施したカメラの外観を示す図６において、カメラ２０のカメラ本体２１の前面には、撮影レンズ２２と、露出制御を行うための測光用窓２３と、オートフォーカス用の一対の測距用窓２４ａ，２４ｂと、ファインダ２５等とが設けられている。また、カメラ本体２１の上面には、レリーズボタン２６，撮影に必要な各種の情報が表示されるＬＣＤ（液晶ディスプレイ）２７，露出制御のプログラムの切り換え等を行うため操作ダイアル２８等が設けられている。
【００２１】
撮影レンズ２２は、測距用窓２４ａ，２４ｂを介して測距された被写体までの撮影距離に基づいてフォーカシングされる。レリーズボタン２６は、浅く押した半押し位置と、さらに深く押した全押し位置との各位置へ押圧操作が可能にされており、半押し位置で測距及び測光が開始され、全押し位置でシャッタが作動されて撮影が行われる。また、このレリーズボタン２６は、フイルム初期送り（ファーストフレームセット）を行う際の操作ボタンを兼ねている。レリーズボタン２６には、レリーズスイッチ５７（図１参照）が連動している。
【００２２】
図７に、裏蓋２９を開いた状態のカメラ本体２１の背面側を示す。カメラ本体２１の底面には、搬送スイッチ３０が設けられている。この搬送スイッチ３０は、巻と取りスイッチと巻き戻しスイッチの機能を兼ねており、ファーストフレームセットの完了してから第１コマ目の撮影が行われるまでの間に押圧操作すると、遮光紙付き写真フイルム５の巻き戻しの指示を行うことができる。また、第１コマ目の撮影以降に、搬送スイッチ３０を押圧操作すると、全ての遮光紙付き写真フイルム５の巻き取りの指示を行うことができる。
【００２３】
カメラ本体２１内には、周知のように、フイルム装填室３１とフイルム巻き取り室３２とが設けられており、これらの間にはフイルム通路３３が形成されている。撮影レンズ２２の背後のフイルム通路３３の部分には、写真フイルム３上の撮影コマの画面サイズを規定するためにアパーチャ３４が形成されている。
【００２４】
フイルム装填室３１には、未使用の写真用ロールフイルム１が装填される。このフイルム装填室３１の上壁には装填室側駆動軸３１ａが突出して設けられている。装填室側駆動軸３１ａは、その周面に係合突起３１ｂが形成されており、スプール２の軸装着穴２ｃに挿入されて係合する。この装填室側駆動軸３１ａは、遮光紙付き写真フイルム５のファーストフレームセットの際には、回動自在にされて、装填された写真用ロールフイルム１からフイルム巻き取り室３２に向けて遮光紙付き写真フイルム５が給送されることを許容する。また、巻き戻しの際には、装填室側駆動軸３１ａは、後述する給送モータ４８の駆動力でスプール２を巻き戻し方向に回動して、給送された遮光紙付き写真フイルム５を写真用ロールフイルム１に巻き戻す。
【００２５】
フイルム巻き取り室３２には、巻き取りスプール３５が配されている。この巻き取りスプール３５は、スプール２と同じ形状のものであって、使用済の写真用ロールフイルム１の空きスプールである。写真用ロールフイルム１の装填時には、巻き取りスプール３５のスリット３５ａに遮光紙４（リーダペーパ８ａ）の先端部４ａを挿入する。巻き取りスプール３５は、そのフランジの軸装着穴に係合した巻き取り室側駆動軸５０ａ（図１参照）によって遮光紙付き写真フイルム５を巻き取る巻き取り方向に回転されるが、巻き戻し時には回動自在にされ、巻き取り室３２からフイルム装填室３１内の写真用ロールフイルム１に向けて遮光紙付き写真フイルム５が搬送されることを許容する。
【００２６】
なお、巻き取りスプール３５には、スリット３５ａ内に爪３５ｂが形成されており、この爪３５ｂに遮光紙４の孔４ｂを係合させることにより、ファーストフレームセットに先立って、巻き取りスプール３５を２，３回転させて遮光紙４を巻き取りスープル３５に巻き付けて外れないようにする従来の操作を不要にしている。
【００２７】
フイルム巻き取り室３２内でフイルム通路３３の近傍には、写真フイルム１５の搬送量を検出するためのフイルムローラ３７が配されている。このフイルムローラ３７は、軸３７ａの両端に、例えばゴム製のローラ３７ｂが設けられており、このローラ３７ｂが遮光紙付き写真フイルム５に接触し、遮光紙付き写真フイルム５の搬送にともなって従動回転する。
【００２８】
アパーチャ３４とフイルム装填室３１の間のフイルム通路３３の壁面には、接合テープ７上のバーコード１０の通過域に対面するように反射型のフォトセンサ３８が設けられている。このフォトセンサ３８は、フイルム通路３３内の遮光紙付き写真フイルム５に赤外線を照射し、反射光を受光する。フォトセンサ３８は、受光した反射光の強度に応じた信号レベルの光電信号を出力する。この光電信号の信号レベルに基づいて、写真フイルム３の検出と、バーコード１０の読み取りとが行われる。なお、フォトセンサ３８で赤外線を用いるのは、写真フイルム３にカブリを与えないためである。
【００２９】
裏蓋２９は、フイルム装填室３１，フイルム巻き取り室３２、フイルム通路３３を背面側から覆い、カメラ本体２１の内部を光密に遮光する。この裏蓋２９の内面には、写真フイルム３を平面に保持する圧板３９が設けられている。この圧板３９は、周知のように写真フイルム３の裏側の遮光紙４の有無によって、撮影レンズ２２に対してフイルム面の位置が変わるのを防止するために、圧板３９の表面をアパーチャ３４に近づけた２２０タイプ位置と、この位置よりも遮光紙４の厚み分だけカメラ本体２１の背面側に遠ざけた１２０タイプ位置とにスライドで切り換えが可能にされ、アパーチャ３４との間のトンネル量を変更できる。
【００３０】
裏蓋２９と圧板３９と間には、圧板位置検出手段としての圧板スイッチ３９ａが配されている。この圧板スイッチ３９ａは、例えばスライド式のスイッチになっており、圧板３９の背面側に設けられた突起に係合したレバーが圧板３９の切り換え操作に連動してスライドされることにより、圧板３９の位置に応じてＯＮ，ＯＦＦされる。圧板スイッチ３９ａは、圧板３９が１２０タイプ位置の場合にはＯＮとなり２２０タイプ位置の場合にはＯＦＦとなる。なお、圧板スイッチ３９ａとしては、スライド式のスイッチの代わりにマイクロスイッチ等を用いてもよい。また、圧板３９の位置に応じて導通パターンが変わるようにした導電パターンと複数の接触片とを用いたり、光学的なセンサを用いて圧板３９の位置を検出してもよい。
【００３１】
裏蓋２９を閉じると、ロック爪２９ａがカメラ本体２１側のロック穴２１ａに挿入され、裏蓋２９がロックされる。また、この裏蓋２９のロックには、裏蓋スイッチ５８（図１参照）が連動している。
【００３２】
カメラ２の電気的な構成を示す図１において、ＣＰＵ４０には、ＲＡＭ４０ａと、各種の制御をするためのプログラムが書き込まれたＲＯＭ４０ｂとが接続されている。ＣＰＵ４０は、ＲＯＭ４０ｂのプログラムに基づいて、カメラ２０の各部を制御するとともに、バーコード１０の解読を行ってフイルム感度，フイルムタイプ，撮影可能コマ数の識別を行う。ＲＡＭ４０ａは、装填された写真用ロールフイルム１のフイルム感度，フイルムタイプ，撮影可能コマ数を記憶する他に、各種の制御に必要なデータを一時的に記憶するワークメモリとして使用される。
【００３３】
フォトセンサ３８からの光電信号は、波形整形回路４３に送られる。この波形整形回路４３は、光電信号を適当なスレッシュホールドレベルで波形整形し、３段階の信号レベルの反射信号を出力する。反射信号は、フォトセンサ３８が反射率の低い遮光紙４及びバーコード１０の黒バー１４ａ，１４ｂを検出している時には「Ｌレベル」となり、反射率の高い白バー１５ａ，１５ｂ、及び各クワイエットゾーン１１，１３を検出しているときには「Ｈレベル」となる。
【００３４】
また、写真フイルム３を検出しているときには、その乳剤面の反射率が遮光紙４や黒バーよりも高く、白バーやクワイエットゾーン１１，１３よりも低いことに応じて、波形整形回路４３は、反射信号を「Ｈレベル」よりも低く「Ｌレベル」よりも高い信号レベル（以下、便宜上「Ｍレベル」という）にする。この反射信号は、写真フイルム３の検出と、バーコード１０の読み取り等を行うためにＣＰＵ４０に送られる。
【００３５】
フイルムローラ３７の軸３７ａには、ギア４４ａ，４４ｂを介して搬送エンコーダ４５が連結されている。搬送エンコーダ４５は、例えば、放射状に一定ピッチの複数のスリットが形成され、軸３７ａの回転とともに回転するエンコード板４５ａと、このエンコード板４５ａのスリットの通過を監視するフォトインタラプタ４５ｂと、フォトインタラプタ４５ｂに接続され、フォトインタラプタ４５ｂがスリットを検出するとエンコードパルスを発生するパルス発生器（図示省略）とから構成されている。なお、エンコード板に適当な幅の切り欠きを設けて、これの通過をフォトインタラプタで検出してもよく、またエンコード板の表面に低反射面と高反射面を設け、反射型のフォトセンサを用いてエンコードパルスを発生させてもよい。
【００３６】
このように構成された搬送エンコーダ４５は、フイルムローラ３７が一定角度回転する毎、すなわち遮光紙付き写真フイルム５が一定の長さだけ搬送される毎に、１個のエンコードパルス（以下、搬送パルスという）を発生する。この例では、写真フイルム３が１コマ分の長さだけ送られた時に約４０個の搬送パルスが発生する。搬送パルスは、搬送カウンタ４６に送られる。
【００３７】
搬送カウンタ４６は、写真フイルム３の搬送長を測定するためのものであり、ＣＰＵ４０によって、そのカウンタ値Ｃｓが「０」にリセットされ、搬送パルスが入力される毎にカウント値Ｃｓを１ずつインクリメントする。この搬送カウンタ４６のカウント値Ｃｓは、給送及び巻き戻し時の遮光紙付き写真フイルム５の搬送を制御するためにＣＰＵ４０に送られる。
【００３８】
ドライバ４７は、ＣＰＵ４０に制御されて、給送モータ４８を正転及び逆転する。この給送モータ４８の回転は、駆動伝達機構４９に伝えられる。駆動伝達機構４９は、減速ギア列，クラッチ機構等から構成されており、給送モータ４８の回転をその回転方向に応じて、フイルム巻き取り室３２の上部に配されたギア５０またはフイルム装填室３１の上部に配されたギア５１に伝達する。ギア５０の下面には巻き取り室側駆動軸５０ａが、ギア５１の下面には装填室側駆動軸３１ａがそれぞれ形成されている。
【００３９】
駆動伝達機構４９は、給送モータ４８が正転したときには、その回転でギア５０を回転させ、巻き取り室側駆動軸５０ａに係合した巻き取りスプール３５を巻き取り方向に回転するとともに、ギア５１を減速ギア列から切り離して装填室側駆動軸３１ａを回動自在にする。また、駆動伝達機構４９は、給送モータ４８が逆転したときには、その回転でギア５１を回転させ、装填室側駆動軸３１ａを介してフイルム装填室３１内のスプール２を巻き戻し方向に回転するとともに、ギア５０を減速ギア列から切り離して巻き取り室側駆動軸５０ａを回動自在にする。
【００４０】
給送モータ４８には、モータエンコーダ５５が連結されている。このモータエンコーダ５５は、搬送エンコーダ４５と同様な構成となっており、給送モータ４８が一定角度だけ回転する毎に１個のエンコードパルス（以下回転パルスという）を発生する。このモータエンコーダ５５は、バーコード１０の各バーの幅を測定するのに十分な個数の回転パルスを発生するようにされており、接合テープ７がフォトセンサ３８を通過する前後では、写真フイルム３が１ｍｍ搬送される間に７個程度の回転パルスを発生する。モータエンコーダ５５は、回転パルスを回転カウンタ５６に送る。
【００４１】
回転カウンタ５６は、バーコード１０の各バーの幅を測定するためのものであり、ＣＰＵ４０によってカウンタ値Ｃｍが「０」にリセットされ、回転パルスが入力される毎にカウンタ値Ｃｍを１ずつインクリメントする。この回転カウンタ５６のカウント値Ｃｍは、ＣＰＵ４０に送られる。ＣＰＵ４０は、カウント値Ｃｍに基づいて、データ部１２の各バーの幅が幅広であるか幅狭であるかを判別し、バーコード１０の情報を解読する。
【００４２】
なお、巻き取りスプール３５の巻き取り径は、遮光紙付き写真フイルム５の巻き取り量が増えるにつれて増大するため、回転パルスの個数と遮光紙付き写真フイルム５の搬送長とは比例関係にない。しかし、接合テープ７がフォトセンサ３８を通過している間の巻き径の変化は微小であるから、この間の回転パルスの個数と接合テープ７の移動長とが比例しているとしても差し支えないので、回転パルスの個数を基にデータ部１２の各バーの幅を測定することが可能である。
【００４３】
これらフォトセンサ３８、波形整形回路４３，モータエンコーダ５５，回転カウンタ５６及びＣＰＵ４０でバーコードの読み取り手段を構成している。
【００４４】
圧板スイッチ３９ａは、ＣＰＵ４０に接続されており、ＣＰＵ４０は、この圧板スイッチ３９ａのＯＮ，ＯＦＦにより圧板３９が１２０タイプ位置か２２０タイプ位置のいずれにあるかを検知し、この検知結果に対応したフイルムタイプとバーコード１０から得られるフイルムタイプとが一致しているか否かを判別する。
【００４５】
レリーズスイッチ５７は、レリーズボタン２６の押圧操作に連動して作動され、レリーズボタン２６が半押し位置まで押し込まれると半押し信号を出力し、全押し位置まで押し込まれると全押し信号を出力する。半押し信号と全押し信号とは、ＣＰＵ４０に送られる。なお、半押し信号と全押し信号とを区別する必要がない場合には、これらをレリーズ信号と総称する。
【００４６】
裏蓋スイッチ５８は、ロック穴２１ａ内に設けられており、裏蓋２９の開閉動作に連動して作動し、裏蓋２９の開閉状態に応じた開閉信号を出力する。開閉信号は、裏蓋２９が開いている状態では「Ｌレベル」となり、裏蓋２９が閉じた状態では「Ｈレベル」となる。この開閉信号は、裏蓋２９の開閉状態を検知するために、ＣＰＵ４０に送られる。
【００４７】
搬送スイッチ３０は、押圧操作された時に、ＯＮとなって搬送信号をＣＰＵ４０に送る。この搬送信号は、ファーストフレームセットが完了してから第１コマ目の撮影が行われるまでの間では、巻き戻しを指示するための巻き戻し信号として扱われ、第１コマ目の撮影以降では、巻き取りを指示する巻き取り信号として扱われる。
【００４８】
測光部６０は、測光用窓２３の内側に配された測光用センサを用いて被写体輝度を測光し、この測光結果をＣＰＵ４０に送る。ＣＰＵ４０は、この測光結果とフイルム感度に基づいて、撮影に最適な絞り値とシャッタ速度を算出する。ＡＦ部６１は、測距用窓２４ａ，２４ｂの内側に配された測距用センサと、撮影レンズ４２を駆動するためのモータ等とからなり、撮影レンズ２２を駆動してフォーカシングを行う。
【００４９】
露光部６２は、シャッタ機構、絞り機構からなり、レリーズボタン２６が全押しされた時に、ＣＰＵ４０で算出された絞り値とシャッタ速度で絞り機構及びシャッタ機構を作動させ写真フイルム３を最適な露光量で露光する。また、露光部６２は、シャッタ機構の作動完了毎、すなわち１コマの撮影完了毎に露光完了信号をＣＰＵ４０に送る。
【００５０】
残数カウンタ６３は、ＣＰＵ４０に制御されて撮影可能な残りのコマ数をカウントする。この残数カウンタ６３のカウント値の初期値としては、バーコード１０を読み取って得られるタイプデータに応じた撮影可能コマ数がセットされ、１コマの撮影が完了する毎にカウント値Ｃｆが１ずつデクリメントされる。なお、残数カウンタ６３を用いる代わりに、ＲＡＭ４０ａを用いて残りコマ数をカウントしてもよい。同様に、搬送カウンタ４６，回転カウンタ５６の代わりに、ＲＡＭ４０ａを用いて、搬送パルスと回転パルスをカウントしてもよい。
【００５１】
ＬＣＤドライバ６５は、ＬＣＤ２７を駆動して各種の表示を行う。図８に一例を示すように、ＬＣＤ２７には、装填された写真用ロールフイルム１が１２０タイプであるか２２０タイプであるかを示すフイルムタイプ表示６６ａ，フイルムカウンタとしてのコマ数表示６６ｂ，ＣＰＵ４０で算出されたシャッタ速度と絞り値を示すシャッタ速度表示６６ｃ及び絞り値表示６６ｄ，装填された写真フイルム３のフイルム感度を示すフイルム感度表示６６ｅ，バーコードの読み取りエラーが発生した時に点滅するエラー表示６６ｆ，バッテリの残量が少なくなったときに点滅するバッテリ残量表示６６ｇ等が表示される。
【００５２】
フイルムタイプ表示６６ａは、装填された写真用ロールフイルム１のフイルムタイプを表示する機能の他に、圧板３９の位置に対応するフイルムタイプとバーコード１０から得られるフイルムタイプとが一致していない場合、すなわち圧板設定ミスの場合に、圧板３９の位置が正しくないことを撮影者に警告する機能と、巻き戻し完了後に圧板３９の切り換えを促す機能を持っている。例えば、圧板設定ミスを警告する場合には、フイルムタイプ表示６６ａの「１２０」と「２２０」の文字が同時に点滅し、圧板３９の切り換えを促す場合には、「１２０」と「２２０」の文字が交互に点滅する。
【００５３】
次に上記構成の作用について図９ないし図１３を参照しながら説明する。写真用ロールフイルム１を装填する際には、撮影者は、カメラ本体２１の裏蓋２９を開いた状態にして、装填する写真用ロールフイルム１のフイルムタイプに応じて、圧板３９の位置を１２０タイプ位置または２２０タイプ位置のいずれかにスライドして設定する。この設定した圧板３９の位置により、圧板スイッチ３９ａがＯＮまたはＯＦＦとなる。
【００５４】
次に、スプール２の軸装着穴２ｃに装填室側駆動軸３１ａを係合させて、写真用フイルムロール１をフイルム装填室３１に装填し、粘着テープ６を剥がしてから、折り曲げられていた遮光紙４の先端部４ａを伸ばし、これを巻き取りスプール３５のスリット３５ａに差し込んで、爪３５ｂに孔４ｂを係合させる。この後に、裏蓋２９を閉じる。
【００５５】
ＣＰＵ４０は、図９に示すメイン処理を常時実行しており、レリーズ信号及び開閉信号，搬送信号を監視して、これらの信号の変化を調べている。裏蓋２９が閉じられると、裏蓋スイッチ５８からの開閉信号が「Ｌレベル」から「Ｈレベル」に変化する。この変化でＣＰＵ４０は、ファーストフレームセットを行うためにＦＦＳ要求を内部レジスタにセットする。
【００５６】
裏蓋２９を閉じた後に、撮影者がレリーズボタン２６を半押し位置または全押し位置まで押し込むと、レリーズスイッチ５７からＣＰＵ４０にレリーズ信号が入力される。ＣＰＵ４０は、このレリーズ信号を受けるとレリーズ処理を実行する。
【００５７】
図１０に示すように、レリーズ処理では、まず、内部レジスタ内にＦＦＳ要求がセットされているか否かが調べられる。前述のように、裏蓋２９を閉じることにより内部レジスタにはＦＦＳ要求がセットされているため、ＣＰＵ４０は、撮影処理を行う代わりに、図１１に示すＦＦＳ処理を実行する。なお、レリーズ信号の入力を待たずに、裏蓋２９が閉じられた直後にＦＦＳ処理を実行するようにしてもよい。
【００５８】
次に、ＣＰＵ４０は、給送モータ４８を正転する。また、レジスタのＦＦＳ要求をクリアし、次回にレリーズボタン２６が操作された時には、撮影処理が行われるようにする。給送モータ４８の正転により、駆動伝達機構４９は、ギア５１を回動自在にするとともに、給送モータ４８の回転をギア５０に伝え、巻き取り室側駆動軸５０ａを介して巻き取りスプール３５を巻き取り方向に回転させる。これにより、遮光紙付き写真フイルム５の遮光紙４が巻き取りスプール３５に巻き取られ、これにともなって、フイルム装填室３１内の写真用ロールフイルム１に巻き付けられていた遮光紙４がフイルム通路３３を通って、巻き取りスプール３５に向かって給送される。
【００５９】
ＣＰＵ４０は、上述のようにして、遮光紙付き写真フイルム５の給送を開始すると、フォトセンサ３８を作動させて接合テープ７の検出を開始する。遮光紙４の給送が進み、フォトセンサ３８に接合テープ７が達すると、バーコード１０の先端クワイエットゾーン１１がフォトセンサ３８に対峙することにより、波形整形回路４３からの反射信号が「Ｌレベル」から「Ｈレベル」に転じる。この反射信号の変化により、ＣＰＵ４０は、接合テープ７を検出したと判断し、バーコード読み取り処理によってデータ部１２の各バーの幅の測定を開始する。
【００６０】
ＣＰＵ４０は、まず回転カウンタ５５を作動して、給送モータが一定角度回転される毎に発生する回転パルスを回転カウンタ５５でカウントするようにする。次に、反射信号が「Ｈレベル」から「Ｌレベル」に、「Ｌレベル」から「Ｈレベル」に変化する毎に、その変化した時点でカウント値Ｃｍを「０」にリセットして、回転パルスのカウントを継続するとともに、変化した時点のカウント値Ｃｍを幅データとしてＲＡＭ４０ａに順次記憶する。
【００６１】
そして、後端クワイエットゾーン１３がフォトセンサ３８を通過して、フォトセンサ３８に写真フイルム３が対峙することにより、反射信号が「Ｍレベル」となった時点で、バーの幅の測定を終了する。
【００６２】
また、ＣＰＵ４０は、この「Ｍレベル」の反射信号の入力により、接合テープ７がフォトセンサ３８を通過して、写真フイルム３がフォトセンサ３８に達したことを検知する。そして、遮光紙付き写真フイルム５を所定長だけ送って、写真フイルム３の第１コマ目の部分をアパーチャ３４の背後にセットするために、カウント値Ｃｓを「０」にリセットしてから，搬送カウンタ４６を作動させる。
【００６３】
フイルムローラ３７は、搬送中の遮光紙付き写真フイルム５に従動して回転しているから、写真フイルム３が一定の長さだけ給送される毎に搬送パルスが発生し、搬送カウンタ４６のカウント値Ｃｓが１ずつインクリメントされるようになる。
【００６４】
ＣＰＵ４０は、搬送カウンタ４６のカウント値Ｃｓを監視し、このカウント値Ｃｓが所定の値Ｃ１になると、給送モータ４８を停止させ、遮光付き写真フイルム５の給送を停止する。この値Ｃ１は、フォトセンサ３８が写真フイルム３と対峙してから、アパーチャ３４により規定された露光位置に写真フイルム３の部分が達するまでに発生する搬送パルスの個数になっており、製造時に予め設定されている。これにより、写真フイルム３の第１コマ目に対応する部分がアパーチャ３４の背後にセットされる。
【００６５】
給送モータ４８の停止後、ＣＰＵ４０は、ファーストフレームセットの完了状態になっていることを示す「ＦＦＳ＿ｆｌａｇ」を内部レジスタにセットしてから、ＲＡＭ４０ａに記憶した各幅データに基づいてバーコード解読を行う。このバーコード解読により、装填された写真用ロールフイルム１のフイルム感度、フイルムタイプが識別されるとともに、フイルムタイプから撮影可能コマ数が識別される。
【００６６】
そして、このバーコード解読で、フイルム感度、フイルムタイプ，撮影可能コマ数が正しく識別されると、この識別結果がＲＡＭ４０ａに記憶される。また、撮影可能コマ数は、残数カウンタ６３に初期値としてセットされる。この後、ＣＰＵ４０は、圧板スイッチ３９ａがＯＮ，ＯＦＦのいずれになっているかを調べ、圧板３９の位置を識別し、この識別された圧板３９の位置に対応するフイルムタイプがＲＡＭ４０ａに記憶したフイルムタイプと一致しているか否かを判別する。
【００６７】
例えば、圧板３９が１２０タイプ位置にセットされ、１２０タイプの写真用ロールフイルム１が装填された場合には、圧板スイッチ３９ａはＯＮになっているため、圧板３９の位置に対応するフイルムタイプと、ＲＡＭ４０ａに記憶されている１２０タイプとが一致する。また、圧板３９が２２０タイプ位置にセットされ、２２０タイプの写真用ロールフイルム１が装填された場合には、圧板スイッチ３９ａはＯＦＦになっているため、圧板３９の位置に対応するフイルムタイプは２２０タイプとなり、圧板３９の位置に対応するフイルムタイプと、ＲＡＭ４０ａに記憶されている２２０タイプとが一致する。
【００６８】
このように、圧板３９の位置に対応するフイルムタイプと、ＲＡＭ４０ａに記憶されているフイルムタイプとが一致している場合、すなわち圧板設定ミスがない場合には、ＣＰＵ４０は、識別されたフイルム感度、フイルムタイプ，撮影可能コマ数をＬＣＤ２７上に、フイルム感度表示６６ｅ、フイルムタイプ表示６６ａ、コマ数６６ｂとしてそれぞれ表示してから、ファーストフレームセットを終了する。これにより、第１コマ目の撮影待機状態となる。
【００６９】
一方、圧板３９が２２０タイプ位置にセットされ、１２０タイプの写真用ロールフィルム１を装填した場合には、圧板スイッチ３９ａはＯＦＦになっているため、圧板３９の位置に対応するフイルムタイプは２２０タイプであるから、ＲＡＭ４０ａに記憶されている１２０タイプと一致しない。また、圧板３９が１２０タイプ位置にセットされ、２２０タイプの写真用ロールフィルム１を装填した場合には、圧板スイッチ３９ａはＯＮになっているため、圧板３９の位置に対応するフイルムタイプは１２０タイプであるから、ＲＡＭ４０ａに記憶されている２２０タイプと一致しない。
【００７０】
ＣＰＵ４０は、上記のように圧板設定ミスと判別すると、ＬＣＤドライバ６５を介してＬＣＤ２７にフイルムタイプ表示６６ａの「１２０」，「２２０」の文字をＬＣＤ２７上で同時に点滅させる。この「１２０」，「２２０」の文字の同時点滅の表示により、撮影者は、すぐに圧板３９の位置が正しくないことを確認できる。
【００７１】
撮影者は、圧板３９の位置が正しくないことを確認した後、搬送スイッチ３０を押圧操作する。この押圧操作により、搬送スイッチ３０は、ＯＮとなって搬送信号をＣＰＵ４０に送る。この搬送信号は、第１コマ目の撮影が行われていないから、ＣＰＵ４０に入力され巻き戻し信号として扱われる。ＣＰＵ４０は、この巻き戻し信号としての搬送信号の入力により、図１２に示す巻き戻しのための処理を行う。なお、実際には、ＣＰＵ４０は、搬送信号の入力時点で内部レジスタを調べ、ＦＦＳ＿ｆｌａｇがセットされていることに基づいて、搬送信号を巻き戻し信号として扱っている。
【００７２】
巻き戻し処理では、まず、ＣＰＵ４０は、遮光紙付き写真フイルム５の巻き戻し量を検出するために、搬送カウンタ４６のカウント値Ｃｓを「０」にリセットしてから給送モータ４８を逆転させる。次に、ＣＰＵ４０は、内部レジスタ内のＦＦＳ＿ｆｌａｇをクリアするとともに、搬送カウンタ４６で搬送パルスのカウントを開始する。
【００７３】
給送モータ４８が逆転すると、その回転が駆動伝達機構４９を介して、フイルム装填室３１側のギア５１に伝達される。また、駆動伝達機構４９は、フイルム巻き取り室３２側のギア５０を回動自在な状態にする。これにより、写真用ロールフイルム１のスプール２が巻き戻し方向に回転され、フイルム通路内３３まで搬送されていた遮光紙付き写真フイルム５の部分及び巻き取りスプール３５に巻き付けられていた遮光紙付き写真フイルム５の部分が、フイルム装填室３１内の写真用ロールフイルム１に巻き戻される。
【００７４】
この巻き戻しにおいても、巻き取りスプール３５に巻き取り時と同様に、フイルムローラ３７が遮光紙付き写真フイルム５の搬送に伴って回転するから、搬送カウンタ４６のカウント値Ｃｓは、遮光紙付き写真フイルム５が一定長だけ巻き戻される毎に１ずつインクリメントされる。ＣＰＵ４０は、このカウント値Ｃｓが、写真フイルム３を十分に遮光し得るだけの長さ、例えば３コマ分の長さの遮光紙４を写真用ロールフイルム１に巻き付けるのに必要な値になると、給送モータ４８を停止して巻き戻しを終了する。
【００７５】
なお、このカメラ２０では、巻き取りスプール３５の爪３５ｂの遮光紙４の孔４ｂを係合させているため、巻き取りスプール３５側に遮光紙４の先端部分を残して巻き戻しを終了しているが、スリット３５ａ内に先端部４ａを挿入するだけの巻き取りスプールを用いる場合には、遮光紙４の先端部４ａまでを写真用ロールフイルム１に巻き戻してもよい。
【００７６】
給送モータ４８の停止後、ＬＣＤ２７上で同時点滅をしていたタイプ表示６６ａの「１２０」，「２２０」の文字を交互に点滅に切り換えて、巻き戻しが完了して圧板３９の再設定が可能になったことを撮影者に知らせるとともに、圧板３９の位置を変更するように注意を促す。撮影者は、この「１２０」，「２２０」の文字の交互の点滅により、どのような操作を行うべきかを知ることができる。
【００７７】
撮影者は、この表示を確認した後、裏蓋２９を開放して圧板３９の位置を装填する写真用ロールフイルム１に対応した位置に正しく設定し直す。この時に、巻き戻しによって写真用ロールフイルム１の写真フイルム３が遮光紙４で遮光された状態にあるから、裏蓋２９の開放操作や圧板３９の切り換えの操作は明室で行うことができる。なお、圧板３９の切り換えを促す表示は、警告表示から継続して「１２０」，「２２０」の文字の同時点滅を維持してもよいが、分かりやすい表示がよい。
【００７８】
撮影者は、圧板３９を切り換えた後に、裏蓋２９を閉じる。遮光紙４の先端部４ａは、巻き取りスプール３５に巻き付けられている状態になっているから、遮光紙４の先端部４ａを巻き取りスプール３５のスリット３５ａに挿入する操作は不要である。次に撮影者がレリーズボタン２６を押圧操作すると、上記と同様な手順により、ファーストフレームセットが行われ、このファーストフレームセットの間に、バーコード１０の読み取り、装填された写真用ロールフイルム１のフイルムタイプに圧板３９の位置が対応しているか否かの判別等が行われた後に、第１コマ目の撮影待機状態となる。
【００７９】
一方、何らかの理由でバーコード解読が正しく行えなかった場合には、図１３に示す処理が行われる。この場合には、ＣＰＵ４０は，まず、ＬＣＤ２７上にエラー表示６６ｆを点滅させて、バーコード読み取りにエラーが生じたことを撮影者に表示する。撮影者は、この表示を確認したならば、操作ダイアル２８等を用いてフイルム感度，フイルムタイプ，撮影可能コマ数をそれぞれ入力するか、搬送スイッチ３０を押圧操作して、遮光紙付き写真フイルム５の巻き戻しを行う。
【００８０】
例えば、操作ダイアル２８等を用いてフイルム感度と、フイルムタイプと、撮影可能コマ数とを入力した場合には、これらがＲＡＭ４０ａに記憶された後に、上記同様な手順で、入力された写真用ロールフイルム１のフイルムタイプに圧板３９の位置が対応しているか否かの判別が行われ、このフイルムタイプと圧板３９の位置に対応したフイルムタイプとが一致している時には、第１コマ目の撮影待機状態になる。
【００８１】
逆に、これらが一致していない時には、ＣＰＵ４０は、フイルムタイプ表示６６ａの「１２０」，「２２０」の文字をＬＣＤ２７上で同時に点滅させて、圧板３９のセットした位置が装填された写真用ロールフイルム１に対応していないことを警告し、再び操作ダイアル２８等による入力か、搬送スイッチ３０からの搬送信号（巻き戻し信号）の入力を待つ状態となる。このようにすることにより、バーコードのない写真用ロールフイルムもこのカメラに装填して利用することができる。
【００８２】
搬送スイッチ３０を押圧操作した場合には、上記の巻き戻しの手順により巻き戻しが行われる。巻き戻しが完了した後に、撮影者は、裏蓋２９を開放してから再び裏蓋２９を閉じたり、新たな写真用ロールフイルム１を装填する等して、再度ファーストフレームセットを行い、第１コマ目の撮影待機状態とする。
【００８３】
第１コマ目の撮影待機状態で、レリーズボタン２６を全押し位置まで押し込むと、レリーズボタン２６が半押し位置まで押し込まれた段階で、測光部６０、ＡＦ部６１が作動され、レリーズボタン２６が全押し位置まで押し込まれた瞬間に露光部６２が作動して、写真フイルム３の第１コマ目に対する撮影が行われる。この撮影が完了すると、写真フイルム３の１コマ送りが行われた後に、ＦＦＳ＿ｆｌａｇがクリアされる。したがって、これ以降では搬送信号が巻き取り信号として扱われるようになるため、搬送スイッチ３０が押圧操作された時点で、全ての遮光紙付き写真フイルム５が巻き取りスプール３５に巻き取られる。
【００８４】
また、第１コマ目の撮影前に、搬送スイッチ３０を押圧すれば、ＦＦＳ＿ｆｌａｇがクリアされていないので、遮光紙付き写真フイルム５がスプール２に巻き戻される。これにより、例えばネガフイルムの写真用ロールフイルム１を装填したがリバーサルフイルムの写真用ロールフイルム１で撮影を行いたい、１２０タイプに代えて２２０タイプで撮影したいといった場合に、明室で写真用ロールフイルム１の交換を行うことができる。なお、この巻き戻しが完了した時点で、例えばコマ数表示６６に「０」を点滅させて、巻き戻しが完了したことを知らせるようにしてもよい。
【００８５】
図１４は、自動的に遮光紙付き写真フイルム５を巻き戻す例を示すものである。ＣＰＵ４０は、装填された写真用ロールフイルム１のフイルムタイプと圧板３９の位置に対応するフイルムタイプとが一致しない場合に、ＬＣＤ２７に警告を表示してから、搬送信号等の入力を待たずに給送モータ４８を逆転させて遮光紙付き写真フイルム５を写真用ロールフイルム１に巻き戻す。なお、その他の処理については、上記実施形態と同様である。
【００８６】
この例の場合には、圧板３９の設定ミスの警告を表示しても、撮影者がこれを確認する前に巻き戻しが開始される可能性がある。しかし、巻き戻しが完了した時点で、ＬＣＤ２７上の「１２０」，「２２０」の文字の交互の点滅させることにより、撮影者にどのような理由で巻き戻しが行われたのか、またこの後どのような操作が行うべきかを知らせることができるので、圧板３９の切り換えを促す表示がより効果的に機能する。
【００８７】
上記各実施形態では、バーコードを接合テープに記したが、図１５に示すように、写真フイルム３と遮光紙４とを接合する接合テープ７よりも先端側の遮光紙４の部分にバーコード１０を記したテープ７０を貼り付けつけてもよく、遮光紙４にバーコードを直接に印刷してもよい。また、図１６に示すように、写真用ロールフイルム１のスプール２のフランジ２ａの表面に放射状のバーコード７１を記してもよい。なお、スプール２のフランジ２ａの表面にバーコード７１を記した場合には、フイルム装填室内の例えば上面に設けたフォトセンサでバーコード７１を読み取る。
【００８８】
上記各実施形態では、ＬＣＤの表示により、圧板の設定ミスの警告を行ったり、圧板位置の切り換えを促しているが、ファインダ内でＬＥＤを点灯させたり、電子音を発生させる等の手法で行ってもよく、ＬＣＤの表示と、ＬＥＤの点灯と、電子音等とを組合わせてもよい。
【００８９】
バーコードの形式は、図５に示されるものに限られず、他の形式のバーコードであってもよい。また、各バーの幅を測定する際に、搬送エンコーダからの搬送パルスをカウントして各バーの幅を測定してもよい。この場合には、細いバーの幅を測定するために、搬送エンコーダの分解能を高くして、遮光紙付き写真フイルムの搬送長に対する搬送パルスの発生個数を多くする必要がある。また、接合テープにバーコードと、一定のピッチで記録されたクロックマークとを、例えば２段にして記し、これらを２個のフォトセンサで同時検出して、クロックマークの検出タイミングに基づいてバーコードの幅を測定してもよい。
【００９０】
【発明の効果】
以上に述べたように、本発明のカメラによれば、フイルム装填室内のスプールを回転させてフイルム巻き取り室に給送された遮光紙付き写真フイルムをフイルム装填室内の写真用ロールフイルムに巻き戻すために巻き戻し手段を設けたから、遮光紙付き写真フイルムの給送後であっても、写真用ロールフイルムの交換や圧板の位置を切り換えるための操作を明るい場所で行うことができる。
【００９１】
また、写真用ロールフイルムの装填後の遮光紙付き写真フイルムの給送中に、写真フイルムの先端部と遮光紙とを接合する接合テープ、遮光紙、またはスプールに記されたバーコードを読み取り、このバーコードの読み取り結果から識別されたフイルムタイプと、圧板の位置を検出した検出結果に対応したフイルムタイプとが一致しているか否かを判別し、これらが一致していない場合には、圧板の位置が装填された写真用ロールフイルムのフイルムタイプに対応していないことを警告するようにしたから、圧板の位置を間違えた状態で撮影が行われることが防止できる。
【００９２】
そして、フイルム巻き取り室に給送された遮光紙付き写真フイルムをフイルム装填室内の写真用ロールフイルムに巻き戻すために巻き戻し手段を設けることにより、警告が行われた時に、遮光紙付き写真フイルムの給送後であっても、圧板の位置を切り換えるための操作を明るい場所で行うことができる。
【００９３】
さらに、バーコードの読み取り結果から識別されたフイルムタイプと、圧板の位置とが対応していない場合に、遮光紙付き写真フイルムの巻き戻しが完了した時点で圧板の位置の切り換えを促すようにしたから、巻き戻し完了時点で巻き戻しがどのような理由で行われ、どのような操作を行うべきかを知ることができる。
【図面の簡単な説明】
【図１】本発明のカメラの電気的な構成を示す概略図である。
【図２】接合テープにバーコードが記された写真用ロールフイルムの外観を示す斜視図である。
【図３】１２０タイプの遮光紙付き写真フイルムを展開した状態で示す説明図である。
【図４】２２０タイプの遮光紙付き写真フイルムを展開した状態で示す説明図である。
【図５】接合テープ上のバーコードの一例を示す説明図である。
【図６】本発明のカメラの外観を示す斜視図である。
【図７】図６のカメラの背面側を裏蓋を開いた状態で示す斜視図である。
【図８】カメラの液晶ディスプレイを示す説明図である。
【図９】各種信号の変化を検出して各種の処理を行うためのメインの手順を示すフローチャートである。
【図１０】レリーズスイッチの変化検出後に行われるレリーズ処理の手順を示すフローチャートである。
【図１１】写真用ロールフイルムの装填直後に行われるファーストフレームセットの手順を示すフローチャートである。
【図１２】巻き戻し時の手順を示すフローチャートである。
【図１３】バーコード解読でエラーが生じた時に実行される手順を示すフローチャートである。
【図１４】圧板位置と装填された写真用ロールフイルムのフイルムタイプとが対応していない時に、自動的に巻き戻しを行う手順を示すフローチャートである。
【図１５】バーコードを記したテープを遮光紙に貼り付けた例を示す説明図である。
【図１６】バーコードをスプールのフランジに記した例を示す説明図である。
【符号の説明】
１  写真用ロールフイルム
２  スプール
３  写真フイルム
４  遮光紙
７  接合テープ
１０  バーコード
１２  データ部
２７  ＬＣＤ
３１ａ  装填室側駆動軸
３５  巻き取りスプール
３７  フイルムローラ
３８  フォトセンサ
３９  圧板
３９ａ  圧板スイッチ
４０  ＣＰＵ
４５  搬送エンコーダ
４６  搬送カウンタ
４８  給送モータ
４９  駆動伝達機構
５１ａ  巻き取り室側駆動軸
５５  モータエンコーダ
５６  回転カウンタ
６３  残数カウンタ
６６ａ〜６６ｇ  表示
【図１】
0003665159.tif 000002
【図２】
0003665159.tif 000003
【図３】
0003665159.tif 000004
【図４】
0003665159.tif 000005
【図５】
0003665159.tif 000006
【図６】
0003665159.tif 000007
【図７】
0003665159.tif 000008
【図８】
0003665159.tif 000009
【図９】
0003665159.tif 000010
【図１０】
0003665159.tif 000011
【図１１】
0003665159.tif 000012
【図１２】
0003665159.tif 000013
【図１３】
0003665159.tif 000014
【図１４】
0003665159.tif 000015
【図１５】
0003665159.tif 000016
【図１６】
0003665159.tif 000017